(57)【要約】本発明は、２つの構成部分（１，２）を取り外し可能に結合するための保持ばねに関する。この保持ばねは、一方の構成部分（１）に取付け可能な保持プレート（３）と、別個の部分として構成された係止ばね（４）とから成っており、この係止ばね（４）が、保持プレート（３）上において係止位置と解除位置との間で被せ嵌め方向で摺動可能にガイドされている。該係止ばね（４）が、他方の構成部分（２）上に設けられた係止突起（７）に係止するため係止縁部（５）を備えている。被せ嵌め方向で係止縁部（５）の前で、摺動可能な構成部分（２）に近づいた時に係止ばね（４）を持ち上げるための、係止ばねに斜めに一体成形された挿入脚（６）が設けられている。結合箇所の近傍における所要スペースが狭い場合においても２つの構成部分（１，２）を良好に取り外し可能に結合するために、別個の構成部分として構成された係止ばね（４）が保持プレート（３）上において、被せ嵌め方向でばね力を克服可能な係止手段（１１，１２）によって係止位置で保持されるようになっている。
2004516973.tif 000002
【特許請求の範囲】
【請求項１】
２つの構成部分を取り外し可能に結合するための保持ばねであって、一方の構成部分（１）に取付け可能な保持プレート（３）と、該保持プレート（３）から突き出る係止ばね（４）とから成っており、該係止ばね（４）が、他方の構成部分（２）上に設けられた係止突起（７）に係止するためのばね弾性的に拡開可能な係止縁部（５）と、被せ嵌め方向で係止縁部（５）の前で、係止ばねに斜めに一体成形された挿入脚（６）とを有している形式のものにおいて、
係止ばね（４）が別個の部分として構成されていて、保持プレート（３）上で、係止位置と係止解除位置との間で被せ嵌め方向に摺動可能にガイドされており、前記係止位置が、被せ嵌め方向でばね力に抗してばね力を克服可能な係止手段（１１，１２）によって保持されるようになっていることを特徴とする、２つの構成部分を取り外し可能に結合するための保持ばね。
【請求項２】
前記保持手段が、保持プレート（３）に形成された、ばね弾性的に拡開可能なスリップフック（１１）と、係止ばね（４）の摺動プレート（９）に設けられた、スリップフック（１１）を受容するための切欠（１２）とから構成されている、請求項１記載の保持ばね。
【請求項３】
スリップフック（１）の係合解除に対する抵抗が、係止突起（７）が挿入脚（６）に押し付けられた時に発生する、係止ばね（４）のばね弾性的な拡開力を克服するための抵抗よりも大きい、請求項２記載の保持ばね。
【請求項４】
挿入脚（６）の自由端部に、挿入方向に対して横方向に突き出す保持脚（８）が一体成形されている、請求項１から３までのいずれか１項記載の保持ばね。
【請求項５】
摺動プレート（９）が側縁部で、弾性的に押し下げ可能な２つのばねフィンガ（１６）を有しており、これらのばねフィンガ（１６）の傾斜位置が被せ嵌め方向とは逆方向で、ばねフィンガ（１６）が摺動プレート（９）の挿入後にアングル形ガイド部材（１０）の側縁部（１９）にぶつかるように、整列されている、請求項１から３までのいずれか１項記載の保持ばね。
【発明の詳細な説明】
【０００１】
本発明は、請求項１の上位概念部に記載した、例えばドイツ連邦共和国特許第４０３１０１７号明細書により公知である、２つの構成部分を取り外し可能に結合するための保持ばねに関する。
【０００２】
このような形式の保持ばねは、自動車のルーフにおける例えばオートスライドルーフの定置の構成部分に対して、摺動可能な構成部分を固定するために使用される。この場合、保持ばねは、一般的な形式で定置の構成部分に固定されており、これに対して摺動可能な部分には相応の係止突起が設けられている。この係止突起によって、保持ばねは、摺動可能な構成部分をガイドする際にまず上方に押しやられ、この際に係止突起が挿入脚に沿って滑動する。係止突起が保持ばねの係止縁部を通過すると直ちに、ばね脚は再び初期位置にばね弾性的に戻る。係止結合を解除するために、保持ばねは、構成部分を引き抜く際に係止突起が保持ばねの係止縁部に沿って妨げられることなしに通過するまで、上方に湾曲される。
【０００３】
この解除過程は、組み立て工が保持ばねを持ち上げるために十分なスペースを有していて、同時にもう一方の手で摺動可能な構成部分を定置の構成部分から取り外すことができる場合に、１つの結合箇所においてのみ問題なく行うことができる。しかしながら、構成部分が多数の結合箇所で固定されていて、これらの固定箇所が外壁によって狭い間隔を保って包囲されている場合には、機械工は、種々異なる保持ばねを手だけ若しくは指だけによって解除すると同時に、摺動可能な構成部分を引き離すことは非常に困難である。
【０００４】
そこで本発明の課題は、冒頭に述べた形式の保持ばねを改良して、摺動可能な構成部分を、多数の結合箇所及び狭い所要空間においても良好に解除することができ、それと同時に再び係止させることができるようにすることである。
【０００５】
この課題を解決した本発明によれば、係止ばねが別個の部分として構成されていて、保持プレート上で、係止位置と係止解除位置との間で被せ嵌め方向に摺動可能にガイドされており、前記係止位置が、被せ嵌め方向でばね力に抗してばね力を克服可能な係止手段によって保持されるようになっている。
【０００６】
本発明による保持ばねによって形成された結合は、各保持ばねの挿入脚をまず上方に持ち上げ、次いで係止ばねをストッパに突き当たるまで押し戻すことによって、組み立て工によって簡単に解除することができる。すべての結合箇所が外されると、摺動可能な構成部分は問題なく引き抜くことができる。保持ばねを再び取り付けるためには、係止ばねを再び前方の係止段部に引き込み、ここでばね力によって保持する必要がある。次いで摺動可能な構成部分の係止突起を、係止縁部の下を通って係止するまで容易に挿入することができる。
【０００７】
本発明の有利な実施例によれば、係止手段は次のように形成される。つまり、保持プレートにばね弾性的に拡開可能なスリップフックが形成されていて、係止ばねの摺動可能にガイドされた部分に相応の切欠が設けられており、この切欠内にスリップフックが係止するようになっていることによって、係止手段が形成されるようになっている。この場合、スリップフックの係止解除に抗する抵抗が、係止ばねのばね弾性的な拡開力を克服するための抵抗よりも大きくなっていれば、有利である。
【０００８】
図面には本発明の実施例が示されていて、以下に詳しく説明されている。
【０００９】
図１は、２部分から成る保持ばねの側面図、
図２は、図１に示した保持ばねの平面図、
図３は、図１の矢印Ｖ方向で見た正面図、
図４は、組み立てた状態の斜視図、
図５は、保持ばねによって係止されている、結合しようとする構成部分の閉鎖位置における断面図、
図６は、保持ばねが係止解除されている、結合しようとする構成部分の開放位置における断面図である。
【００１０】
図示の保持ばねは、接続箇所に隣接する非常に狭い所要空間において、互いに摺動可能な２つの構成部分を取り外し可能に結合するために用いられる。
【００１１】
この場合、保持ばねは、定置の構成部分１に取付け可能な保持プレート３と、別個の部分として構成され、保持プレート３に差込み方向で摺動可能にガイドされた、ばね弾性的に拡開可能な係止ばね４とから成っている。保持プレート３は、図示の実施例では、Ｃ字形に取り付けられた緊締脚３′にクランプ状に結合されていて、この緊締脚３′によって構成部分１の縁部に被せ嵌められて、緊締されている。係止ばね４は係止縁部５を備えており、この係止縁部５は、摺動可能な別の構成部分２に結合するために、この構成部分２に一体成形された係止突起７に係止する。
【００１２】
係止ばね４は、被せ嵌め方向で係止縁部５の前に斜めに一体成形された挿入脚６を有しており、この挿入脚６は、摺動可能な構成部分２を挿入する際に、この構成部分２の係止突起７によって押し広げられる（拡開される）。挿入脚６の自由端部にはさらに、被せ嵌め方向に対して横方向に突き出す保持脚８が一体成形されており、この保持脚８は、係止ばね４を拡開させるためにも、また後方に摺動された係止ばね４を引き寄せるためにも使用される。
【００１３】
係止縁部５の他方側では、係止ばね４が摺動プレート９に結合されており、この摺動プレート９は、保持プレート３上に直接載っていて、側方で、保持プレート３に設けられた２つのアングル形ガイド部材（Ｆｕｅｒｕｎｇｓｗｉｎｋｅｌ）１０間においてガイドされている。つまり係止位置（図５）と解除位置（図６）との間でガイドされている。
【００１４】
保持プレート３は後端部で、上方に折り曲げられたストッパ縁部１５を備えており、このストッパ縁部１５は、摺動プレート９の運動を後方に向かって制限する。さらに、摺動プレート９の側縁部には弾性的に押し下げ可能な２つのばねフィンガ１６が、被せ嵌め方向に抗して斜め上方に向けられており、これらのばねフィンガ１６は、摺動プレート９を２つのアングル形ガイド部材１０間に挿入する際に、下方に変位して、次いで再び係止位置にばね弾性的に戻る。傾斜位置は、フィンガ１６がアングル形ガイド部材１０の側縁部１９に対してぶつかって、それによって前方への運動が制限される。
【００１５】
係止ばね４を係止位置で固定するために、係止手段が設けられている。この係止手段は、スリップフック１１と、このスリップフック１１と協働する、摺動プレート９に設けられた切欠１２とから成っている。この切欠１２内にスリップフック１１が係止される。スリップフック１１は保持プレート３に形成されており、この場合、細いストリップ（条片）１３が、保持プレート３から、一般的な自由打ち抜き（Ｆｒｅｉｓｃｈｎｉｔｔ）によって打ち抜き成形されていて、ばね弾性的に拡開可能な端部に係止湾曲部１４が一体成形されている。この場合、スリップフック１１の解除抵抗が係止ばね４の挿入抵抗よりも大きくなるように注意しなければならない。それによって摺動可能な構成部分２を挿入する際に、係止ばね４は挿入脚６を上方に押し倒すことによっていずれにしても係止位置で保持されるようになっている。
【００１６】
構成部分２の上側には、少なくともスリップフック１１の幅を有する溝１７が切欠かれており、これによってスリップフック１１は、摺動プレートが上を通過する際に、妨げられることなく下方に変位することができる。クリップ状に構成された保持プレート３を構成部分２の縁部に良好に固定することができるようにするために、保持プレート３はその中央で、自由打ち抜きによって打ち抜き成形された、被せ嵌め方向に抗して斜め下方に突き出す係止脚１８を有しており、この係止脚１８は、保持プレート若しくは保持クリップ３，３′を押し広げることによって溝１７内に係止する。
【００１７】
２つの部分より成る保持ばねの作用形式は、図５及び図６に図示されていて、以下に簡単に説明されている。
【００１８】
図５は、構成部分２にクリップ状に被せ嵌められる、矢印方向Ａでおしずらされる係止ばね４を備えた保持ばねを示している。構成部分１は同時に矢印方向Ｂで構成部分２に向かって押しずらされ、この際に係止縁部５は係止突起７の後ろに係止される。
【００１９】
図６は、図５に示した保持ばねの係止解除位置を示している。この係止解除位置を得るために、まず係止縁部５が係止突起７を越えるまで、指又は適当な工具によって挿入脚６が持ち上げられる。次いで係止ばね４が矢印方向Ｃで後方に、ストッパ１５にぶつかるまで押し戻され、この際に係止突起７の後ろ側に載り、それによって構成部分１を矢印方向Ｌで容易に引き抜くことができる。
【００２０】
構成部分２を再び挿入し、係止させることができるようにするために、係止ばね４は保持脚８によって矢印方向Ｃとは逆方向で、スリップフック１１が切欠１２内に係止されるまで、再び係止位置に引き寄せられる。
【図面の簡単な説明】
【図１】
２部分から成る保持ばねの側面図である。
【図２】
図１に示した保持ばねの平面図である。
【図３】
図１の矢印Ｖ方向で見た正面図である。
【図４】
組み立てた状態の斜視図である。
【図５】
保持ばねによって係止されている、結合しようとする構成部分の閉鎖位置における断面図である。
【図６】
保持ばねが係止解除されている、結合しようとする構成部分の開放位置における断面図である。
【符号の説明】
１  定置の構成部分、  ２  摺動可能な構成部分、  ３  保持プレート、  ４  係止ばね、  ５  係止縁部、  ６  挿入脚、  ７  係止突起、  ８  保持脚、  ９  摺動プレート、  １０  アングル形ガイド部材、  １１  スリップフック、  １２  切欠、  １３  ストリップ（条片）、  １４  係止湾曲部、  １５  ストッパ、  １６  ばねフィンガ、  １７  溝、  １８  係止ウエブ、  １９  側縁部
【国際公開パンフレット】
2004516973.tif 000003
2004516973.tif 000004
2004516973.tif 000005
2004516973.tif 000006
2004516973.tif 000007
2004516973.tif 000008
2004516973.tif 000009
2004516973.tif 000010
2004516973.tif 000011
2004516973.tif 000012
【国際調査報告】
2004516973.tif 000013
2004516973.tif 000014
2004516973.tif 000015
2004516973.tif 000016
2004516973.tif 000017
2004516973.tif 000018